(57)【要約】スケジューリング情報を送信する方法および基地局を提供する。該方法は、上りサブフレームと対応する下りサブフレームが、複数の時間分割デュプレックス（ＴＤＤ）上り−下り設定スキームのうちの第１ＴＤＤ上り−下り設定スキームに対応する第１スケジューリング・タイミングに基づきスケジューリング情報の送信に使用できないことを特定し、無線フレームのうち、前記下りサブフレームを含む１つまたは複数の下りサブフレームを上りサブフレームと見做して第１等価ＴＤＤ上り−下り設定スキームを取得し、前記複数のＴＤＤ上り−下り設定スキームのうちの第２ＴＤＤ上り−下り設定スキームに対応する第２スケジューリング・タイミングに基づいて、前記上りサブフレームと対応する下りサブフレームを選択し、選択された下りサブフレームで前記スケジューリング情報を送信する。前記第２のＴＤＤ上り−下り設定スキームが指定する下りサブフレームのセットが、前記第１の等価ＴＤＤ上り−下り設定スキームが指定する下りサブフレームのセットのサブセットである。
2016513895.tif 000002
【特許請求の範囲】
【請求項１】
上りサブフレームをスケジューリングするためのスケジューリング情報を送信する方法であって、
前記上りサブフレームと対応する下りサブフレームが、複数の時間分割デュプレックス（ＴＤＤ）上り−下り設定スキームに含まれる第１のＴＤＤ上り−下り設定スキームに対応する第１のスケジューリング・タイミングに基づきスケジューリング情報の送信用として使用できないことを特定するステップと、
無線フレームのうち、前記下りサブフレームを含む１つまたは複数の下りサブフレームを上りサブフレームと見做すことにより、第１の等価ＴＤＤ上り−下り設定スキームを得るステップと、
前記複数のＴＤＤ上り−下り設定スキームに含まれる第２のＴＤＤ上り−下り設定スキームに対応する第２のスケジューリング・タイミングに基づいて、前記上りサブフレームと対応する下りサブフレームを選択するステップと、
選択された下りサブフレームにおいて前記スケジューリング情報を送信するステップと、を含み、
前記第２のＴＤＤ上り−下り設定スキームにより指定されている下りサブフレームのセットが、前記第１の等価ＴＤＤ上り−下り設定スキームにより指定されている下りサブフレームのセットのサブセットである、方法。
【請求項２】
前記第１の等価ＴＤＤ上り−下り設定スキームが、前記複数のＴＤＤ上り−下り設定スキームのいずれか１つと同一である場合には、前記第２のＴＤＤ上り−下り設定スキームは、前記複数のＴＤＤ上り−下り設定スキームのうち、前記第１の等価ＴＤＤ上り−下り設定スキームと同一である方のＴＤＤ上り−下り設定スキームである、請求項１に記載の方法。
【請求項３】
スケジューリング情報の送信用として使用できない下りサブフレームは、マルチキャスト・ブロードキャスト単周波数ネットワーク（ＭＢＳＦＮ）サブフレームとして用いられる下りサブフレームである、請求項１または２に記載の方法。
【請求項４】
前記１つまたは複数の下りサブフレームは、無線フレームのうち、ＭＢＳＦＮサブフレームとして用いられる全ての下りサブフレームを含む、請求項３に記載の方法。
【請求項５】
前記複数の時間分割デュプレックス（ＴＤＤ）上り−下り設定スキームは、３ＧＰＰのリリース１０において定義されているＴＤＤ上り−下り設定スキームであり、
前記第１および第２のスケジューリング・タイミングは、３ＧＰＰのリリース１０において定義されているスケジューリング・タイミングである、請求項１に記載の方法。
【請求項６】
前記第２のＴＤＤ上り−下り設定スキームは、３ＧＰＰのリリース１０において定義されているＴＤＤ上り−下り設定スキーム０である、請求項５に記載の方法。
【請求項７】
上りサブフレームをスケジューリングするためのスケジューリング情報を送信する方法であって、
前記上りサブフレームと対応する下りサブフレームが、複数の時間分割デュプレックス（ＴＤＤ）上り−下り設定スキームに含まれる第１のＴＤＤ上り−下り設定スキームに対応する第１のスケジューリング・タイミングに基づきスケジューリング情報の送信用として使用できないことを特定するステップと、
無線フレームのうち、前記下りサブフレームを含む１つまたは複数の下りサブフレームを上りサブフレームと見做すことにより、第１の等価ＴＤＤ上り−下り設定スキームを得るステップと、
第１の等価ＴＤＤ上り−下り設定スキームが前記複数のＴＤＤ上り−下り設定スキームのいずれとも異なる場合には、予め決められたスケジューリング・タイミングに基づいて、前記上りサブフレームと対応する下りサブフレームを選択するステップと、を含み、
前記予め決められたスケジューリング・タイミングは、前記複数のＴＤＤ上り−下り設定スキームに対応するスケジューリング・タイミングのいずれとも異なり、
前記予め決められたスケジューリング・タイミングでは、前記上りサブフレームとの時間間隔およびスケジューリング負荷バランスの要求に応じて、前記上りサブフレームと対応する下りサブフレームを設定する、方法。
【請求項８】
上りサブフレームをスケジューリングするためのスケジューリング情報を送信する基地局であって、
前記上りサブフレームと対応する下りサブフレームが、複数の時間分割デュプレックス（ＴＤＤ）上り−下り設定スキームに含まれる第１のＴＤＤ上り−下り設定スキームに対応する第１のスケジューリング・タイミングに基づきスケジューリング情報の送信用として使用できないことを特定するように構成された特定ユニットと、
無線フレームのうち、前記下りサブフレームを含む１つまたは複数の下りサブフレームを上りサブフレームと見做すことにより、第１の等価ＴＤＤ上り−下り設定スキームを得る取得ユニットと、
前記複数のＴＤＤ上り−下り設定スキームに含まれる第２のＴＤＤ上り−下り設定スキームに対応する第２のスケジューリング・タイミングに基づいて、前記上りサブフレームと対応する下りサブフレームを選択する選択ユニットと、
選択された下りサブフレームにおいて前記スケジューリング情報を送信する送信ユニットと、を備え、
前記第２のＴＤＤ上り−下り設定スキームにより指定されている下りサブフレームのセットが、前記第１の等価ＴＤＤ上り−下り設定スキームにより指定されている下りサブフレームのセットのサブセットである、基地局。
【請求項９】
前記第１の等価ＴＤＤ上り−下り設定スキームが、前記複数のＴＤＤ上り−下り設定スキームのいずれか１つと同一である場合には、前記第２のＴＤＤ上り−下り設定スキームは、前記複数のＴＤＤ上り−下り設定スキームのうち、前記第１の等価ＴＤＤ上り−下り設定スキームと同一である方のＴＤＤ上り−下り設定スキームである、請求項８に記載の基地局。
【請求項１０】
スケジューリング情報の送信用として使用できない下りサブフレームは、マルチキャスト・ブロードキャスト単周波数ネットワーク（ＭＢＳＦＮ）サブフレームとして用いられる下りサブフレームである、請求項８または９に記載の基地局。
【請求項１１】
前記１つまたは複数の下りサブフレームは、無線フレームのうち、ＭＢＳＦＮサブフレームとして用いられる全ての下りサブフレームを含む、請求項１０に記載の基地局。
【請求項１２】
前記複数の時間分割デュプレックス（ＴＤＤ）上り−下り設定スキームは、３ＧＰＰのリリース１０において定義されているＴＤＤ上り−下り設定スキームであり、
前記第１および第２のスケジューリング・タイミングは、３ＧＰＰのリリース１０において定義されているスケジューリング・タイミングである、請求項８に記載の基地局。
【請求項１３】
前記第２のＴＤＤ上り−下り設定スキームは、３ＧＰＰのリリース１０において定義されているＴＤＤ上り−下り設定スキーム０である、請求項１２に記載の基地局。
【請求項１４】
上りサブフレームをスケジューリングするためのスケジューリング情報を送信する基地局であって、
前記上りサブフレームと対応する下りサブフレームが、複数の時間分割デュプレックス（ＴＤＤ）上り−下り設定スキームに含まれる第１のＴＤＤ上り−下り設定スキームに対応する第１のスケジューリング・タイミングに基づきスケジューリング情報の送信用として使用できないことを特定するように構成された特定ユニットと、
無線フレームのうち、前記下りサブフレームを含む１つまたは複数の下りサブフレームを上りサブフレームと見做すことにより、第１の等価ＴＤＤ上り−下り設定スキームを得る取得ユニットと、
第１の等価ＴＤＤ上り−下り設定スキームが前記複数のＴＤＤ上り−下り設定スキームのいずれとも異なる場合には、予め決められたスケジューリング・タイミングに基づいて、前記上りサブフレームと対応する下りサブフレームを選択する選択ユニットと、
選択された下りサブフレームにおいて前記スケジューリング情報を送信する送信ユニットと、を備え、
前記予め決められたスケジューリング・タイミングは、前記複数のＴＤＤ上り−下り設定スキームに対応するスケジューリング・タイミングのいずれとも異なり、
前記予め決められたスケジューリング・タイミングでは、前記上りサブフレームとの時間間隔およびスケジューリング負荷バランスの要求に応じて、前記上りサブフレームと対応する下りサブフレームを設定する、基地局。
【発明の詳細な説明】
【発明の詳細な説明】
【０００１】
〔技術分野〕
本発明は、モバイル通信に関し、具体的にはスケジューリング情報を送信する方法および基地局に関する。
〔背景技術〕
第３世代パートナ・プロジェクト（３ＧＰＰ）のロング・ターム・エボリューション（ＬＴＥ）システムは、基地局（ＮｏｄｅＢまたはエボリューションＮｏｄｅＢ（ｅＮＢ）とも称される）が、物理下り制御チャネル（ＰＤＣＣＨ）／増強型物理下り制御チャネル（ｅＰＤＣＣＨ）を介してスケジューリング情報（例えば上りライセンシング・ＵＬグラント（ｇｒａｎｔ））を送信する。そして、ユーザ装置（ＵＥ）が、ＰＤＣＣＨ／ｅＰＤＣＣＨ上のスケジューリング情報を読み取り、該スケジューリング情報が示している上りサブフレームにおいて上りデータを送信する。なお、ＵＥは、ユーザ端末であってもよく、ユーザノードや、モバイル端末またはタブレットＰＣであってもよい。
【０００２】
また、３ＧＰＰのＬＴＥのリリース１０には、スケジューリング情報を送信するための下りサブフレームと、該スケジューリング情報に基づいてスケジューリングされるべき上りサブフレームとの対応関係を示すスケジューリング・タイミング（ｔｉｍｉｎｇ）が、規定されている。
【０００３】
ところで、先行技術文献である「Ｒ１−１２５１１７,３ＧＰＰ  ＴＳＧ  ＲＡＮ  ＷＧ１  Ｍｅｅｔｉｎｇ＃７１，Ｑｕａｌｃｏｍｍ  Ｉｎｃ」には、新しいキャリア波タイプ（Ｎｅｗ  Ｃａｒｒｉｅｒ  Ｔｙｐｅ，ＮＣＴ）をサポートする予定のＬＴＥのリリース１２に存在し得る問題が、指摘されている。また、ＮＣＴでは、マルチメディア・ブロードキャスト・マルチキャスト・サービス（ＭＢＭＳ）が従来のままシステムにサポートされると共に、ＬＴＥ第１２版以前のスタンダード設定もＭＢＭＳへ引き継がれる。ＬＴＥのリリース１２以前のスタンダード設定によると、マルチキャスト・ブロードキャスト単周波数ネットワーク（ＭＢＳＦＮ）サブフレームにおけるＭＢＭＳ用無線リソース、およびＰＤＣＣＨ用無線リソースは、時間分割多重化が採用されている。しかし、ＬＴＥのリリース１２では、ＮＣＴキャリア波のみ（「単独ＮＣＴ」と略称される）が使用される周波数領域においては、システムはＰＤＣＣＨの代わりにｅＰＤＣＣＨを用いる。この場合、ＭＢＳＦＮのサブフレームにおけるＭＢＭＳ用無線リソースおよびｅＰＤＣＣＨ用無線リソースは、時間分割多重化を用いて同一ＮＣＴキャリア波中に共存させることができない。そのため、時間分割デュプレックス（ＴＤＤ）モード下のＮＣＴによるＭＢＭＳに対して、ＬＴＥのリリース１２以前のスタンダード設定を援用するためには、上りリソースのスケジューリング・タイミングを改修する必要がある。
【０００４】
そのため、一部の下りサブフレームがスケジューリング情報の送信用として使用できない場合（例えばＭＢＭＳ用の場合）でも、対応の上りサブフレームのスケジューリングや、現行スタンダードへの影響の最小化が可能な新しいスケジューリング・タイミングが必要である。
〔発明の内容〕
本発明は、上述した問題の少なくとも一部を解決することを目的とする。
【０００５】
本発明の第１態様によれば、上りサブフレームをスケジューリングするためのスケジューリング情報を送信する方法であって、前記上りサブフレームと対応する下りサブフレームが、複数の時間分割デュプレックス（ＴＤＤ）上り−下り設定スキームに含まれる第１のＴＤＤ上り−下り設定スキームに対応する第１のスケジューリング・タイミングに基づきスケジューリング情報の送信用として使用できないことを特定するステップと、無線フレームのうち、前記下りサブフレームを含む１つまたは複数の下りサブフレームを上りサブフレームと見做すことにより、第１の等価ＴＤＤ上り−下り設定スキームを得るステップと、前記複数のＴＤＤ上り−下り設定スキームに含まれる第２のＴＤＤ上り−下り設定スキームに対応する第２のスケジューリング・タイミングに基づいて、前記上りサブフレームと対応する下りサブフレームを選択するステップと、選択された下りサブフレームにおいて前記スケジューリング情報を送信するステップと、を含み、前記第２のＴＤＤ上り−下り設定スキームにより指定されている下りサブフレームのセットが、前記第１の等価ＴＤＤ上り−下り設定スキームにより指定されている下りサブフレームのセットのサブセットである、方法を提供する。
【０００６】
好ましくは、前記第１の等価ＴＤＤ上り−下り設定スキームが、前記複数のＴＤＤ上り−下り設定スキームのいずれか１つと同一である場合には、前記第２のＴＤＤ上り−下り設定スキームは、前記複数のＴＤＤ上り−下り設定スキームのうち、前記第１の等価ＴＤＤ上り−下り設定スキームと同一である方のＴＤＤ上り−下り設定スキームである。
【０００７】
実施例によれば、スケジューリング情報の送信用として使用できない下りサブフレームは、マルチキャスト・ブロードキャスト単周波数ネットワーク（ＭＢＳＦＮ）サブフレームとして用いられる下りサブフレームである。
【０００８】
実施例によれば、前記１つまたは複数の下りサブフレームは、無線フレームのうち、ＭＢＳＦＮサブフレームとして用いられる全ての下りサブフレームを含む。
【０００９】
実施例によれば、前記複数の時間分割デュプレックス（ＴＤＤ）上り−下り設定スキームは、３ＧＰＰのリリース１０において定義されているＴＤＤ上り−下り設定スキームであり、前記第１および第２のスケジューリング・タイミングは、３ＧＰＰのリリース１０において定義されているスケジューリング・タイミングである。
【００１０】
実施例によれば、前記第２のＴＤＤ上り−下り設定スキームは、３ＧＰＰのリリース１０において定義されているＴＤＤ上り−下り設定スキーム０である。
【００１１】
本発明の第２態様によれば、上りサブフレームをスケジューリングするためのスケジューリング情報を送信する方法であって、前記上りサブフレームと対応する下りサブフレームが、複数の時間分割デュプレックス（ＴＤＤ）上り−下り設定スキームに含まれる第１のＴＤＤ上り−下り設定スキームに対応する第１のスケジューリング・タイミングに基づきスケジューリング情報の送信用として使用できないことを特定するステップと、無線フレームのうち、前記下りサブフレームを含む１つまたは複数の下りサブフレームを上りサブフレームと見做すことにより、第１の等価ＴＤＤ上り−下り設定スキームを得るステップと、第１の等価ＴＤＤ上り−下り設定スキームが前記複数のＴＤＤ上り−下り設定スキームのいずれとも異なる場合には、予め決められたスケジューリング・タイミングに基づいて、前記上りサブフレームと対応する下りサブフレームを選択するステップと、を含み、前記予め決められたスケジューリング・タイミングは、前記複数のＴＤＤ上り−下り設定スキームに対応するスケジューリング・タイミングのいずれとも異なり、前記予め決められたスケジューリング・タイミングでは、前記上りサブフレームとの時間間隔およびスケジューリング負荷バランスの要求に応じて、前記上りサブフレームと対応する下りサブフレームを設定する、方法を提供する。
【００１２】
本発明の第３態様によれば、上りサブフレームをスケジューリングするためのスケジューリング情報を送信する基地局であって、前記上りサブフレームと対応する下りサブフレームが、複数の時間分割デュプレックス（ＴＤＤ）上り−下り設定スキームに含まれる第１のＴＤＤ上り−下り設定スキームに対応する第１のスケジューリング・タイミングに基づきスケジューリング情報の送信用として使用できないことを特定するように構成された特定ユニットと、無線フレームのうち、前記下りサブフレームを含む１つまたは複数の下りサブフレームを上りサブフレームと見做すことにより、第１の等価ＴＤＤ上り−下り設定スキームを得る取得ユニットと、前記複数のＴＤＤ上り−下り設定スキームに含まれる第２のＴＤＤ上り−下り設定スキームに対応する第２のスケジューリング・タイミングに基づいて、前記上りサブフレームと対応する下りサブフレームを選択する選択ユニットと、選択された下りサブフレームにおいて前記スケジューリング情報を送信する送信ユニットと、を備え、前記第２のＴＤＤ上り−下り設定スキームにより指定されている下りサブフレームのセットが、前記第１の等価ＴＤＤ上り−下り設定スキームにより指定されている下りサブフレームのセットのサブセットである、基地局を提供する。
【００１３】
好ましくは、前記第１の等価ＴＤＤ上り−下り設定スキームが、前記複数のＴＤＤ上り−下り設定スキームのいずれか１つと同一である場合には、前記第２のＴＤＤ上り−下り設定スキームは、前記複数のＴＤＤ上り−下り設定スキームのうち、前記第１の等価ＴＤＤ上り−下り設定スキームと同一である方のＴＤＤ上り−下り設定スキームである。
【００１４】
実施例によれば、スケジューリング情報の送信用として使用できない下りサブフレームは、マルチキャスト・ブロードキャスト単周波数ネットワーク（ＭＢＳＦＮ）サブフレームとして用いられる下りサブフレームである。
【００１５】
実施例によれば、前記１つまたは複数の下りサブフレームは、無線フレームのうち、ＭＢＳＦＮサブフレームとして用いられる全ての下りサブフレームを含む。
【００１６】
実施例によれば、前記複数の時間分割デュプレックス（ＴＤＤ）上り−下り設定スキームは、３ＧＰＰのリリース１０において定義されているＴＤＤ上り−下り設定スキームであり、前記第１および第２のスケジューリング・タイミングは、３ＧＰＰのリリース１０において定義されているスケジューリング・タイミングである。
【００１７】
実施例によれば、前記第２のＴＤＤ上り−下り設定スキームは、３ＧＰＰのリリース１０において定義されているＴＤＤ上り−下り設定スキーム０である。
【００１８】
本発明の第４態様によれば、上りサブフレームをスケジューリングするためのスケジューリング情報を送信する基地局であって、前記上りサブフレームと対応する下りサブフレームが、複数の時間分割デュプレックス（ＴＤＤ）上り−下り設定スキームに含まれる第１のＴＤＤ上り−下り設定スキームに対応する第１のスケジューリング・タイミングに基づきスケジューリング情報の送信用として使用できないことを特定するように構成された特定ユニットと、無線フレームのうち、前記下りサブフレームを含む１つまたは複数の下りサブフレームを上りサブフレームと見做すことにより、第１の等価ＴＤＤ上り−下り設定スキームを得る取得ユニットと、第１の等価ＴＤＤ上り−下り設定スキームが前記複数のＴＤＤ上り−下り設定スキームのいずれとも異なる場合には、予め決められたスケジューリング・タイミングに基づいて、前記上りサブフレームと対応する下りサブフレームを選択する選択ユニットと、選択された下りサブフレームにおいて前記スケジューリング情報を送信する送信ユニットと、を備え、前記予め決められたスケジューリング・タイミングは、前記複数のＴＤＤ上り−下り設定スキームに対応するスケジューリング・タイミングのいずれとも異なり、前記予め決められたスケジューリング・タイミングでは、前記上りサブフレームとの時間間隔およびスケジューリング負荷バランスの要求に応じて、前記上りサブフレームと対応する下りサブフレームを設定する、基地局を提供する。
【００１９】
本発明によれば、一部の下りサブフレームがスケジューリング情報の送信用として使用できない場合（例えばＭＢＭＳ用の場合）でも、対応の上りサブフレームのスケジューリングや、現行スタンダードへの影響の最小化が可能である。
〔図面の簡単な説明〕
図面に基づく上記詳細な説明により、本発明の上記特徴および他の特徴がさらに明白になるであろう。
【００２０】
図１は、本発明に係る基地局を示すブロック図である。
【００２１】
図２は、本発明に係るスケジューリング情報を送信する方法を示すフローチャート図である。
〔具体的な実施形態〕
図面と併せて本発明の具体的な実施例の以下に説明することにより、本発明の原理および実現が明らかとなる。なお、本発明は下記の具体的な実施例に限定されるものではない。また、本発明に対する理解の混同を避けるように、便宜上、本発明と直接に関連しない公知技術の詳細な説明を省略している。
【００２２】
以下は、例示的な運用環境として、ＬＴＥ  Ｒｅｌ−１２モバイル通信システムおよびそれ以降のエボリューションのリリースを挙げ、本発明に係る幾つかの実施例を具体的に説明する。但し、本発明は下記の実施例に限定されず、多種の別の無線通信システム、例えば将来の５Ｇセルラ通信システムにも適用可能である。
【００２３】
図１は、本発明に係る基地局１００を示すブロック図である。図１に示すように、基地局１００は、特定ユニット１１０、取得ユニット１２０、選択ユニット１３０および送信ユニット１４０を含む。なお、基地局１００に、その機能の実現に必要な他の機能的ユニット、例えば各種のプロセッサーやメモリ等も含まれていることは、当業者であれば理解できる。
【００２４】
本発明によれば、基地局１００は、上りサブフレームをスケジューリングするためのスケジューリング情報を送信する。
【００２５】
特定ユニット１１０は、前記上りサブフレームと対応する下りサブフレームが、複数の時間分割デュプレックス（ＴＤＤ）上り−下り設定スキームに含まれる第１のＴＤＤ上り−下り設定スキームに対応する第１のスケジューリング・タイミングに基づきスケジューリング情報の送信用として使用できないことを、特定する。
【００２６】
取得ユニット１２０は、無線フレームのうち、前記下りサブフレームを含む１つまたは複数の下りサブフレームを上りサブフレームと見做すことにより、第１の等価ＴＤＤ上り−下り設定スキームを得る。
【００２７】
選択ユニット１３０は、前記複数のＴＤＤ上り−下り設定スキームに含まれる第２のＴＤＤ上り−下り設定スキームに対応する第２のスケジューリング・タイミングに基づいて、前記上りサブフレームと対応する下りサブフレームを選択する。前記第２のＴＤＤ上り−下り設定スキームにより指定されている下りサブフレームのセットは、前記第１の等価ＴＤＤ上り−下り設定スキームにより指定されている下りサブフレームのセットのサブセットである。
【００２８】
送信ユニット１４０は、選択された下りサブフレームにおいて前記スケジューリング情報を送信する。
【００２９】
以下は、具体例を挙げつつ、基地局１００の各ユニットの動作を説明する。なお、本発明は以下に説明する具体例に限定されないことは、当業者であれば分かる。また、基地局１００における対応のユニットが本発明の原理に基づいて動作すれば、本発明の目的が達成される。
【００３０】
まずは、３ＧＰＰのリリース１０において定義されているスケジューリング・タイミングに基づき、ｎ+ｋ番目の上りサブフレームをスケジューリングするためのスケジューリング情報が、ｎ番目の下りサブフレームにおいて送信される。３ＧＰＰ技術基準３６．２１３の表８．２には、異なるＴＤＤ上り−下り設定スキームに対応するｋ値が規定されている。例えば、ＴＤＤモードの場合、下りサブフレーム番号３、４、７、８、９のうちの１つまたは複数がＭＢＳＦＮサブフレームとして用いられる。一方、ＴＤＤモード下の新しいキャリア波タイプ（ＮＣＴ）の場合、下りサブフレーム番号３、４、７、８、９のうちの１つまたは複数がＭＢＳＦＮサブフレームとして用いられると、ＭＢＳＦＮサブフレームとして用いられた下りサブフレームにおいてスケジューリング情報を送信することができなくなる。
【００３１】
なお、ＭＢＳＦＮサブフレームとして用いられるとスケジューリング情報の送信用として使用できなくなるような下りサブフレームが、３ＧＰＰのリリース１０において定義されているスケジューリング・タイミングに基づいて、スケジューリング情報の非送信用として初期設定されている場合には、スケジューリング・タイミングを変更する必要がない。
【００３２】
一方、ＭＢＳＦＮサブフレームとして用いられるとスケジューリング情報の送信用として使用できなくなるような下りサブフレームが、３ＧＰＰのリリース１０において定義されているスケジューリング・タイミングに基づいて、スケジューリング情報の送信用として初期設定されている場合には、スケジューリング・タイミングを変更する必要がある。
【００３３】
好ましくは、取得ユニット１２０が取得した第１の等価ＴＤＤ上り−下り設定スキームが、３ＧＰＰのリリース１０において定義されているＴＤＤ上り−下り設定スキームのいずれか１つと同一である場合には、選択ユニット１３０は、３ＧＰＰのリリース１０に定義されているＴＤＤ上り−下り設定スキームのうち、第１の等価ＴＤＤ上り−下り設定スキームと同一である方のＴＤＤ上り−下り設定スキームを、第２のＴＤＤ上り−下り設定スキームとして選択する。
【００３４】
選択可能な形態として、選択ユニット１３０は、３ＧＰＰのリリース１０において定義されているＴＤＤ上り−下り設定スキーム０を、第２のＴＤＤ上り−下り設定スキームとして選択する。３ＧＰＰのリリース１０によると、ＴＤＤ上り−下り設定スキーム０により指定されている下りサブフレームのセットは、３ＧＰＰのリリース１０において定義されているＴＤＤ上り−下り設定スキームのいずれもが指定する下りサブフレームのセットのサブセットであり、すなわち、第１の等価ＴＤＤ上り−下り設定スキームにより指定されている下りサブフレームのセットのサブセットである（第１の等価ＴＤＤ上り−下り設定スキームにより指定されている下りサブフレームのセットは、第１のＴＤＤ上り−下り設定スキームにより指定されている下りサブフレームのセットである）。
【００３５】
選択可能な形態として、取得ユニット１２０が取得した第１の等価ＴＤＤ上り−下り設定スキームが、３ＧＰＰのリリース１０において定義されているＴＤＤ上り−下り設定スキームのいずれとも異なる場合には、選択ユニット１３０は、予め決められたスケジューリング・タイミングに基づいて、スケジューリングされるべき上りサブフレームと対応する下りサブフレームを選択する。なお、前記予め決められたスケジューリング・タイミングは、３ＧＰＰのリリース１０において定義されているＴＤＤ上り−下り設定スキームに対応するスケジューリング・タイミングのいずれとも異なる。また、前記予め決められたスケジューリング・タイミングでは、スケジューリングされるべき上りサブフレームとの時間間隔およびスケジューリング負荷バランスの要求に応じて、スケジューリングされるべき上りサブフレームと対応する下りサブフレームを設定する。
【００３６】
例えば、上りサブフレームｌを、時間間隔が最も短い下りサブフレームｌ−ｋを利用してスケジューリングしてもよい。ここで、下りサブフレームｌ−ｋは、ｅＰＤＣＣＨ（スケジューリング情報の送信用として使用可能）を搬送し、ｋは４以上である。この原則に基づき、サブフレーム１、６がｅＰＤＣＣＨを搬送する場合においては、ｋは以下の表１に示す値であってもよい。
【００３７】
【表１】
2016513895.tif 000003
【００３８】
なお、表１に示すスケジューリング・タイミングは単に例示であり、本発明が表１に示すスケジューリング・タイミングに限定されないことは、当業者であれば理解できる。スケジューリングされるべき上りサブフレームとの時間間隔、およびスケジューリング負荷バランスの要求に応じて、スケジューリングされるべき上りサブフレームと対応する下りサブフレームを設定する構成であれば、本発明の原理は実現される。
【００３９】
選択可能な形態として、１つのＮＣＴキャリア波に関し、キャリア波間に跨るスケジューリングがシステムにサポートされており且つ１つまたは複数の非ＮＣＴキャリア波（すなわち、従来一般のキャリア波）が存在することにより、キャリア波間に跨るスケジューリングをシステムにおいて実行可能な場合には、キャリア波間に跨るスケジューリングを基地局が行ってもよい。一方、キャリア波間に跨るスケジューリングがシステムにサポートされない場合や、システムに従来一般のキャリア波が存在しない場合、またはシステムにおける従来一般のキャリア波ではキャリア波間に跨るスケジューリングが行えない場合（例えば、従来一般のキャリア波の周波数と、ＮＣＴキャリア波の周波数とが離れすぎる）には、上述した構成を用いてもよい。なお、キャリア波間に跨るスケジューリングでは、現行ＬＴＥのリリース１０において定義されているＴＤＤスケジューリング・タイミングを援用するが、ＮＣＴキャリア波に含まれたスケジュール情報は、別のキャリア波における下り制御チャネル（ＰＤＣＣＨ／ｅＰＤＣＣＨ）を介して送信される。例えば、上りサブフレームｌを、現在のキャリア波における下りサブフレームｌ−ｋを利用してスケジューリングすることができない場合には、他のキャリア波における下りサブフレームｌ−ｋを利用し、上りサブフレームｌに対して、キャリア波間に跨るスケジューリングを行う。
【００４０】
なお、ＦＤＤモード下のＮＣＴによるＭＢＭＳを例に挙げ、本発明の実施例を説明しているが、下りサブフレームがスケジューリング情報の送信用として利用できなくなる理由はＭＢＭＳに限らないということは、当業者であれば理解できる。また、本発明は、ＭＢＭＳのような運用場面に限定されるものではない。
【００４１】
以下は、具体例を挙げ、本発明の原理を詳しく説明する。但し、下記の例はあくまでも模式的なものであり、本発明の原理は下記の具体的な実現に限定されるものではない。
（例１）＜ＴＤＤ上り−下り設定スキーム３において、下りサブフレーム７をＭＢＳＦＮサブフレームとして用いる場合＞
３ＧＰＰのリリース１０において定義されているＴＤＤ上り−下り設定スキーム３、およびそれに対応しているスケジューリング・タイミングに基づき、下りサブフレーム８、９はスケジューリング情報の送信用として使用され、下りサブフレーム７はスケジューリング情報の送信用として使用されない。したがって、下りサブフレーム７をＭＢＳＦＮサブフレームとして用いるときは、スケジューリング・タイミングを変更する必要がない。
（例２）＜ＴＤＤ上り−下り設定スキーム３において、下りサブフレーム７、８がＭＢＳＦＮサブフレームとして設定されている場合＞
３ＧＰＰのリリース１０において定義されているＴＤＤ上り−下り設定スキーム３、およびそれに対応しているスケジューリング・タイミングに基づき、下りサブフレーム８、９はスケジューリング情報の送信用として使用される。したがって、次の無線フレームの上りサブフレーム２をスケジューリングするためのスケジューリング情報の送信用として、下りサブフレーム８が使用される可能性がある。この場合、スケジューリング・タイミングを変更する必要がある。
【００４２】
取得ユニット１３０は、ＭＢＳＦＮサブフレーム７、８を上りサブフレームと見做すことにより、等価ＴＤＤ上り−下り設定スキームを得る。このときに取得される等価ＴＤＤ上り−下り設定スキームは、３ＧＰＰのリリース１０において定義されているＴＤＤ上り−下り設定スキーム６と同一である。したがって、選択ユニット６は、ＴＤＤ上り−下り設定スキーム６を第２のＴＤＤ上り−下り設定スキームとして選択すると共に、ＴＤＤ上り−下り設定スキーム６に対応しているスケジューリング・タイミングに基づいて、次の無線フレームの上りサブフレーム２、３、４をスケジューリングするためのスケジューリング情報を送信する。具体的には、次の無線フレームの上りサブフレーム２をスケジューリングするためのスケジューリング情報を、下りサブフレーム５において送信する。また、次の無線フレームの上りサブフレーム３をスケジューリングするためのスケジューリング情報を、下りサブフレーム６において送信する。そして、次の無線フレームの上りサブフレーム４をスケジューリングするためのスケジューリング情報を、下りサブフレーム９において送信する。
【００４３】
選択可能な形態として、次の無線フレームの上りサブフレーム２、３、４をスケジューリングするためのスケジューリング情報を、表１において定義されたスケジューリング・タイミングに基づいて送信してもよい。具体的には、次の無線フレームの上りサブフレーム２をスケジューリングするためのスケジューリング情報を、下りサブフレーム６において送信する。また、次の無線フレームの上りサブフレーム３をスケジューリングするためのスケジューリング情報を、下りサブフレーム９において送信する。そして、次の無線フレームの上りサブフレーム４をスケジューリングするためのスケジューリング情報を、下りサブフレーム０において送信する。
【００４４】
選択可能な形態として、上記のように、上りサブフレームｌを、現在のキャリア波における下りサブフレームｌ−ｋを利用してスケジューリングすることができない場合には、他のキャリア波における下りサブフレームｌ−ｋを利用し、上りサブフレームｌに対して、キャリア波間に跨るスケジューリングを行う。
（例３）＜ＴＤＤ上り−下り設定スキーム３において、下りサブフレーム８、９がＭＢＳＦＮサブフレームとして設定されている場合＞
３ＧＰＰのリリース１０において定義されているＴＤＤ上り−下り設定スキーム３、およびそれに対応しているスケジューリング・タイミングに基づき、下りサブフレーム８、９はスケジューリング情報の送信用として使用される。したがって、次の無線フレームの上りサブフレーム２、３をスケジューリングするためのスケジューリング情報の送信用として、下りサブフレーム８、９が使用される可能性がある。この場合、スケジューリング・タイミングを変更する必要がある。
【００４５】
取得ユニット１３０は、ＭＢＳＦＮサブフレーム８、９を上りサブフレームと見做すことにより、等価ＴＤＤ上り−下り設定スキームを得る。このときに取得される等価ＴＤＤ上り−下り設定スキームは、３ＧＰＰのリリース１０において定義されているＴＤＤ上り−下り設定スキームのいずれとも異なる。したがって、選択ユニット６は、ＴＤＤ上り−下り設定スキーム０を第２のＴＤＤ上り−下り設定スキームとして選択すると共に、ＴＤＤ上り−下り設定スキーム０に対応しているスケジューリング・タイミングに基づいて、次の無線フレームの上りサブフレーム２、３、４をスケジューリングするためのスケジューリング情報を送信する。具体的には、次の無線フレームの上りサブフレーム２をスケジューリングするためのスケジューリング情報を、下りサブフレーム６において送信する。また、次の無線フレームの上りサブフレーム３をスケジューリングするためのスケジューリング情報を、下りサブフレーム６において送信する。そして、次の無線フレームの上りサブフレーム４をスケジューリングするためのスケジューリング情報を、下りサブフレーム０において送信する。
【００４６】
選択可能な形態として、次の無線フレームの上りサブフレーム２、３、４をスケジューリングするためのスケジューリング情報を、表１において定義されたスケジューリング・タイミングに基づいて送信してもよい。具体的には、次の無線フレームの上りサブフレーム２をスケジューリングするためのスケジューリング情報を、下りサブフレーム６において送信する。また、次の無線フレームの上りサブフレーム３をスケジューリングするためのスケジューリング情報を、下りサブフレーム７において送信する。そして、次の無線フレームの上りサブフレーム４をスケジューリングするためのスケジューリング情報を、下りサブフレーム０において送信する。
【００４７】
選択可能な形態として、上記のように、上りサブフレームｌを、現在のキャリア波における下りサブフレームｌ−ｋを利用してスケジューリングすることができない場合には、他のキャリア波における下りサブフレームｌ−ｋを利用し、上りサブフレームｌに対して、キャリア波間に跨るスケジューリングを行う。
【００４８】
以下、図面に基づき、本発明のスケジューリング情報を送信する方法のフローチャートについて説明する。なお、下記では、より明確になるように、基地局１００の上記具体的な実施例に基づいて本発明の方法を説明する。但し、基地局の上述具体的な機能的ユニットに基づく本発明の方法の説明は、あくまでも模式的に示すことが目的であり、例えばコンピュータプログラムにより該方法を実現させる場合には、ユニットとアセンブリとを図示のように区別する必要が全く無く、基地局を一集合体として本発明の方法を実現してもよい。また、前記基地局１００の実施例に併せて説明した全ての特徴も、下記方法の実施例に適用できる。
【００４９】
図２は、本発明に係るスケジューリング情報を送信する方法２００を示すフローチャート図である。方法２００は、基地局１００により実行され、次のステップを含んでもよい。
【００５０】
ステップＳ２１０において、特定ユニット１１０は、前記上りサブフレームと対応する下りサブフレームが、複数の時間分割デュプレックス（ＴＤＤ）上り−下り設定スキームに含まれる第１のＴＤＤ上り−下り設定スキームに対応する第１のスケジューリング・タイミングに基づきスケジューリング情報の送信用として使用できないことを特定する。
【００５１】
ステップＳ２２０において、取得ユニット１２０は、無線フレームのうち、前記下りサブフレームを含む１つまたは複数の下りサブフレームを上りサブフレームと見做すことにより、第１の等価ＴＤＤ上り−下り設定スキームを得る。
【００５２】
ステップＳ２３０において、選択ユニット１３０は、前記複数のＴＤＤ上り−下り設定スキームに含まれる第２のＴＤＤ上り−下り設定スキームに対応する第２のスケジューリング・タイミングに基づいて、前記上りサブフレームと対応する下りサブフレームを選択する。前記第２のＴＤＤ上り−下り設定スキームにより指定されている下りサブフレームのセットは、前記第１の等価ＴＤＤ上り−下り設定スキームにより指定されている下りサブフレームのセットのサブセットである。
【００５３】
ステップＳ２４０において、送信ユニット１４０は、選択された下りサブフレームにおいて前記スケジューリング情報を送信する。
【００５４】
好ましくは、前記ステップＳ２３０において、前記第１の等価ＴＤＤ上り−下り設定スキームが、前記複数のＴＤＤ上り−下り設定スキームのいずれか１つと同一である場合には、前記第２のＴＤＤ上り−下り設定スキームは、前記複数のＴＤＤ上り−下り設定スキームのうち、前記第１の等価ＴＤＤ上り−下り設定スキームと同一である方のＴＤＤ上り−下り設定スキームである。
【００５５】
一実施例において、スケジューリング情報の送信用として使用できない下りサブフレームは、マルチキャスト・ブロードキャスト単周波数ネットワーク（ＭＢＳＦＮ）サブフレームとして用いられる下りサブフレームである。
【００５６】
一実施例において、前記１つまたは複数の下りサブフレームは、無線フレームのうち、ＭＢＳＦＮサブフレームとして用いられる全ての下りサブフレームを含む。
【００５７】
一実施例において、前記複数の時間分割デュプレックス（ＴＤＤ）上り−下り設定スキームは、３ＧＰＰのリリース１０において定義されているＴＤＤ上り−下り設定スキームであり、前記第１および第２のスケジューリング・タイミングは、３ＧＰＰのリリース１０において定義されているスケジューリング・タイミングである。
【００５８】
一実施例において、前記第２のＴＤＤ上り−下り設定スキームは、３ＧＰＰのリリース１０において定義されているＴＤＤ上り−下り設定スキーム０である。
【００５９】
選択可能な形態として、第１の等価ＴＤＤ上り−下り設定スキームが、前記複数のＴＤＤ上り−下り設定スキームのいずれとも異なる場合には、選択ユニット１３０は、予め決められたスケジューリング・タイミングに基づいて、前記上りサブフレームと対応する下りサブフレームを選択し、前記予め決められたスケジューリング・タイミングは、前記複数のＴＤＤ上り−下り設定スキームに対応するスケジューリング・タイミングのいずれとも異なり、前記予め決められたスケジューリング・タイミングでは、前記上りサブフレームとの時間間隔およびスケジューリング負荷バランスの要求に応じて、前記上りサブフレームと対応する下りサブフレームを設定する。
【００６０】
本発明によれば、一部の下りサブフレームがスケジューリング情報の送信用として使用できない場合（例えばＭＢＭＳ用の場合）でも、対応の上りサブフレームのスケジューリングや、現行スタンダードへの影響の最小化が可能である。
【００６１】
以上、本発明の好ましい実施形態を例示し本発明について説明したが、本発明の精神および範囲を超えない限り、本発明に対する種々の改良、置換および変更が可能であることは、当業者であれば理解できる。したがって、本発明は、上述した実施形態に限定されず、本願特許請求の範囲およびその均等的ものにより限定されるべきである。
【図面の簡単な説明】
【００６２】
【図１】本発明に係る基地局を示すブロック図である。
【図２】本発明に係るスケジューリング情報を送信する方法を示すフローチャート図である。
【図１】
2016513895.tif 000004
【図２】
2016513895.tif 000005
【国際調査報告】
2016513895.tif 000006
2016513895.tif 000007
2016513895.tif 000008
2016513895.tif 000009